(57)【特許請求の範囲】
【請求項１】
遊技機に設置され、ベース部材とカバー部材とを組み付けてなるケース内に前記遊技機における動作を制御する基板を内蔵した制御装置であって、
ベース部材側に開口を有し、素子設置面を覆った状態で前記基板を収容可能な箱状に形成された第１内部カバーを、前記ベース部材の後面に後方から組み付けて固着するとともに、
前記カバー部材を、前記第１内部カバーを覆うように上下方向又は左右方向へスライドさせて前記ベース部材の後面に組み付ける一方、
前記第１内部カバーの側面及び／又は上面に鍔状のリブ片を突設し、
前記カバー部材に、前記ベース部材への組み付け状態において、前記リブ片に後方から当接又は近接する突出部を形成したことを特徴とする制御装置。
【請求項２】
前記第１内部カバーの上部左右両端に前記固着部を設ける一方、
前記ベース部材に、前記第１内部カバーを固着した際、前記第１内部カバーの下部左右両端に係止する係止片を設けたことを特徴とする請求項１に記載の制御装置。
【請求項３】
前記第１内部カバーの前記開口内に嵌め込まれて当該開口を閉塞する第２内部カバーを、前記第１内部カバーに固着したことを特徴とする請求項１又は２に記載の制御装置。
【請求項４】
請求項１〜３の何れかに記載の制御装置が設置されていることを特徴とする遊技機。
【発明の詳細な説明】
【技術分野】
【０００１】
本発明は、たとえば遊技に係る制御を実行する制御基板を収容してなる制御装置、及び当該制御装置を備えてなる遊技機に関するものである。
【背景技術】
【０００２】
従来、パチンコ機やスロットマシン等の遊技機には、所謂「大当たり抽選」等の遊技に係る制御を実行する制御装置が内蔵されている。当該制御装置においては、制御基板を収容する収容ケースに、たとえばワンウェイタイプのネジを用いた締結部等の不正開放防止部が一般的に設けられており、制御基板に対する不正行為（たとえば、改造されたＲＯＭへの差し替え等）を防止するようになっている。
【０００３】
そして、近年では、不正防止効果の更なる向上を図った制御装置が種々考案されており、たとえば特許文献１に記載の制御装置では、ベース部材とカバー部材とを組み付けてなる収容ケースの内部空間に制御基板を設置するとともに、収容ケースの内部空間で、且つ、制御基板の後面（素子設置面）を覆うように内部カバーをカバー部材に固着することで、不正防止効果の更なる向上を図っている。
【先行技術文献】
【特許文献】
【０００４】
【特許文献１】特開２００５−１６０５９５号公報
【発明の概要】
【発明が解決しようとする課題】
【０００５】
しかしながら、特許文献１に記載の制御装置によれば、カバー部材が強引にこじ開けられると、内部カバーを設置しているにも拘わらず、制御基板が露出してしまう。つまり、カバー部材さえこじ開ければＲＯＭの取り替え等が可能になってしまう。また、カバー部材の側面で内部カバーと制御基板との間となる位置に穴が空けられると、制御基板の後面（素子設置側の面）が露出する。つまり、カバー部材にさえ穴を空ければ不正行為が可能になってしまう。
したがって、そのような強引な不正行為に対する防犯性の更なる向上が求められている。
【０００６】
そこで、本発明は、上記問題に鑑みなされたものであって、上述したような強引な不正行為に対しても高い防犯性を発揮することができる制御装置、及び当該制御装置を備えてなる遊技機を提供しようとするものである。
【課題を解決するための手段】
【０００７】
上記目的を達成するために、本発明のうち請求項１に記載の発明は、遊技機に設置され、ベース部材とカバー部材とを組み付けてなるケース内に前記遊技機における動作を制御する基板を内蔵した制御装置であって、ベース部材側に開口を有し、素子設置面を覆った状態で前記基板を収容可能な箱状に形成された第１内部カバーを、前記ベース部材の後面に後方から組み付けて固着するとともに、前記カバー部材を、前記第１内部カバーを覆うように上下方向又は左右方向へスライドさせて前記ベース部材の後面に組み付ける一方、前記第１内部カバーの側面及び／又は上面に鍔状のリブ片を突設し、前記カバー部材に、前記ベース部材への組み付け状態において、前記リブ片に後方から当接又は近接する突出部を形成したことを特徴とする。
請求項２に記載の発明は、請求項１に記載の発明において、前記第１内部カバーの上部左右両端に前記固着部を設ける一方、前記ベース部材に、前記第１内部カバーを固着した際、前記第１内部カバーの下部左右両端に係止する係止片を設けたことを特徴とする。
請求項３に記載の発明は、請求項１又は２に記載の発明において、前記第１内部カバーの前記開口内に嵌め込まれて当該開口を閉塞する第２内部カバーを、前記第１内部カバーに固着したことを特徴とする。
一方、上記目的を達成するために、本発明のうち請求項４に記載の発明は、請求項１〜３の何れかに記載の制御装置が設置されていることを特徴とする。
【発明の効果】
【０００８】
本発明によれば、ベース部材側に開口を有し、素子設置面を覆った状態で基板を収容可能な箱状に形成された第１内部カバーが、ベース部材に固着されているとともに、カバー部材が、第１内部カバーを覆うようにベース部材に組み付けられているため、たとえカバー部材がこじ開けられたとしても、不正行為を行うためには第１内部カバーをもこじ開けなければならない。また、たとえカバー部材に穴を空けたとしても、不正行為を行うためには第１内部カバーにも穴を空けなければならない。したがって、それら強引な不正行為に対する防犯性の高い制御装置とすることができる。
また、第１内部カバーが、ベース部材の後面に後方から組み付けられている一方、カバー部材が、上下方向又は左右方向へスライドさせてベース部材の後面に組み付けられている。つまり、ベース部材に対する第１内部カバーの組み付け方向と、カバー部材の組み付け方向とが異なっているため、両者を同時にこじ開けることが極めて困難となっており、非常に優れた防犯性を発揮することができる。
さらに、第１内部カバーの側面及び／又は上面に鍔状のリブ片を突設するとともに、カバー部材に、ベース部材への組み付け状態において、リブ片に後方から当接又は近接する突出部を形成している。したがって、カバー部材を外すことなく第１内部カバーを外すことは略不可能となり、更に高い防犯性を備えた制御装置とすることができる。
また、請求項２に記載の発明によれば、第１内部カバーの上部左右両端に固着部を設ける一方、ベース部材に、第１内部カバーを固着した際、第１内部カバーの下部左右両端に係止する係止片を設けているため、第１内部カバーの四隅を固着する必要がなく、組み立て作業が簡易となる。
さらに、請求項３に記載の発明によれば、第１内部カバーの開口内に嵌め込まれて当該開口を閉塞する第２内部カバーを、第１内部カバーに固着しているため、制御装置は所謂二重構造となっており、第１内部カバーをベース部材から取り外したとしても基板は露出しない。したがって、極めて防犯性に優れた制御装置とすることができる。
一方、請求項４に記載の発明によれば、制御装置のＲＯＭ等が不正に取り替えられたりしないため、遊技者が安心して遊技可能な遊技機とすることができる。
【図面の簡単な説明】
【０００９】
【図１】パチンコ機を前面側から示した説明図である。
【図２】パチンコ機を後面側から示した説明図である。
【図３】制御装置を後面側から示した斜視説明図である。
【図４】制御装置の後面を示した説明図である。
【図５】制御装置の断面説明図であって、（ａ）はＡ−Ａ線断面図、（ｂ）はＢ−Ｂ線断面図、（ｃ）はＣ−Ｃ線断面図、（ｄ）は（ｃ）中の要部拡大図である。
【図６】制御装置を分解した状態を示した斜視説明図である。
【図７】分解状態にある内ケースと、メイン制御基板とを拡大して示した斜視説明図である。
【図８】ベース部材を示した説明図であって、（ａ）は後方から示した説明図、（ｂ）は斜視説明図である。
【図９】かしめカバー部材を示した説明図であって、（ａ）は上方から示した斜視説明図、（ｂ）は下方から示した斜視説明図である。
【図１０】内ケース及び外ケースのネジ止めの態様を示した説明図である。
【図１１】ベース部材へ内ケースを組み付けた状態を示した説明図である。
【図１２】不正防止用ビスを示した斜視説明図である。
【発明を実施するための形態】
【００１０】
以下、本発明の一実施形態となる制御装置、及び遊技機について、図面をもとに詳細に説明する。尚、本実施形態では、遊技機の一例となるパチンコ機について説明する。
【００１１】
（パチンコ機の説明）
図１は、パチンコ機１を前面側から示した説明図であり、図２は、パチンコ機１を後面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１２】
当該遊技領域２ａは、遊技盤２の前面に円弧状に配設された外レール及び内レール（図示せず）等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、図示しない多数の遊技釘、遊技球が通過可能なゲート部材、一対の爪片を開閉動作可能に備えたチューリップ式電動役物、開閉可能な扉部材を有する大入賞装置、風車等が設置されている。
【００１３】
また、機枠３の前面側であって上記遊技盤２の下方には、遊技球を発射装置１０へ供給するための供給皿７、及び供給皿７から溢れた遊技球を貯留するための貯留皿８が機枠３に対して夫々片開き可能に取り付けられている。さらに、貯留皿８の右側には、発射装置１０を作動させるための操作ハンドル９が回動操作可能に設置されている。
【００１４】
一方、機枠３の後面側には、供給皿５へ貸球や賞品球として払い出される遊技球を貯留するための貯留タンク１１、当該貯留タンク１１と連結された払い出し装置１２、図柄表示部６に「図柄」を表示させるための液晶表示装置（図示せず）、払い出し装置１２や液晶表示装置等の動作を統合的に制御するサブ統合基板を内蔵したサブ制御装置（図示せず）が取り付けられているとともに、遊技に係る制御（たとえば、所謂「大当たり抽選」等）を実行するためのメイン制御基板２１を内蔵してなる制御装置２０が取り付けられている。
【００１５】
以上のようなパチンコ機１では、遊技者によって操作ハンドル９が回動操作されると、発射装置１０が作動して遊技球が遊技領域２ａ内へ打ち込まれる。そして、遊技領域２ａ内を流下する遊技球がチューリップ式電動役物へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置の扉部材を所定回数にわたって断続的に開成させるといった所謂「大当たり状態」を生起させる。
【００１６】
（制御装置の説明）
次に、本発明の要部となる制御装置２０について、図３〜図９をもとに説明する。
図３は、制御装置２０を後面側から示した斜視説明図であり、図４は、制御装置２０の後面を示した説明図である。図５は、制御装置２０の断面説明図であって、（ａ）はＡ−Ａ線断面図、（ｂ）はＢ−Ｂ線断面図、（ｃ）はＣ−Ｃ線断面図、（ｄ）は（ｃ）中の要部拡大図である。また、図６は、制御装置２０を分解した状態を示した斜視説明図である。さらに、図７は、分解状態にある内ケース２２と、メイン制御基板２１とを拡大して示した斜視説明図である。また、図８は、ベース部材４１を示した説明図であって、（ａ）は後方から示した説明図、（ｂ）は斜視説明図である。さらに、図９は、かしめカバー部材４２を示した説明図であって、（ａ）は上方から示した斜視説明図、（ｂ）は下方から示した斜視説明図である。
【００１７】
制御装置２０は、メイン制御基板２１と、メイン制御基板２１を収容可能な内ケース２２と、当該内ケース２２を収容可能な外ケース２３とからなる。メイン制御基板２１は、上述したように遊技に係る制御を実行するものであって、基板の後面には、遊技に係る制御を実行するための図示しないＣＰＵやＲＯＭ、ＲＡＭ等の種々の制御素子が設置されている。また、メイン制御基板２１の後面下部には、メイン制御基板２１とサブ統合基板等とを接続するためのコネクタ部が設けられている。さらに、メイン制御基板２１の左右側縁部には、メイン制御基板２１を内ケース２２内で固定（ネジ止め）するためのネジ孔２１ａ、２１ａ・・が設けられている。そして、当該メイン制御基板２１は、制御素子が設置されている側の面を後方へ向け、コネクタ部が下方に位置するような姿勢で内ケース２２内に収容され固定される。
【００１８】
内ケース２２は、メイン制御基板２１の前方を覆う前ケース部材３１と、メイン制御基板２１の後方を覆う後ケース部材３２とを組み付けてなるもので、両ケース部材３１、３２を組み付けることで形成される内部空間にメイン制御基板２１を収容可能となっている。前ケース部材３１は、ポリカーボネート樹脂により成形されており、ポリカーボネート樹脂の特性によって、外力が加わった際に割れにくいようになっている。また、後ケース部材３２は、ＡＳ樹脂（ＳＡＮ）により成形されており、ＡＳ樹脂の特性によって、内ケース２２を強引にこじ開けようとした場合等にドライバー等の先端によって表面に傷がつきやすく、不正行為の痕跡が残りやすいようにしている。
【００１９】
後ケース部材３２は、略中央に後方へ膨出する膨出部を有し、前方側が開口した箱状体であって、後ケース部材３２の下部には、メイン制御基板２１のコネクタ部を露出するためのコネクタ窓３３、３３・・が開設されている。各コネクタ窓３３の形状は、各コネクタ部の形状と略同じに形成されており、メイン制御基板２１を収容した際にコネクタ部とコネクタ窓３３縁との間に隙間が生じないようになっている。また、後ケース３２の下部の左右両端には、係止凹部３４、３４が設けられており、ベース部材４１への組み付け時にベース部材４１に設けられた係止片４３、４３（図８に示す）が係止するようになっている。さらに、後ケース３２の上部の左右両端には、ベース部材４１へネジ止めするためのネジ孔を有する固定片３５、３５が突設されている。加えて、後ケース部材３２の上端縁には、一対の鍔片３６、３６が上方へ突設されており、後ケース部材３２の左右側縁には、一対の押止片３７、３７が左右夫々外方へ突設されている。尚、後ケース部材３２の内面（前面側）には、前ケース部材３１及びメイン制御基板２１をネジ止めするためのネジ受け部（図示せず）が設けられている。
【００２０】
前ケース部材３１は、後ケース部材３２の開口と略同じ大きさに形成され、その開口内へ嵌め込むようにして後ケース部材３２へ組み付け可能な板状体である。当該前ケース部材３１の四隅には、後ケース部材３２と一体化するためのネジ孔３８、３８・・が穿設されている。また、前ケース部材３１の下縁には、後方へ突出する凸条部３９が設けられており、後ケース部材３２と一体化した後でコネクタ窓３３、３３・・周縁からの工具等の差し込み、メイン制御基板２１に設置された各種素子への干渉を防止可能となっている。
【００２１】
一方、外ケース２３は、後方に開口を有するベース部材４１と、当該ベース部材４１の開口を覆うように組み付けられるかしめカバー部材４２とからなるもので、両部材４１、４２を組み付けることで形成される内部空間に内ケース２２を収容可能となっている。そして、ベース部材４１は、ポリカーボネート樹脂により成形されており、ポリカーボネート樹脂の特性によって、外力が加わった際に割れにくく、且つ、後述する不正防止用ビス４４が食い込みやすいようになっている。また、かしめカバー部材４２は、アクリル樹脂により成形されており、当該アクリル樹脂の特性によって、後ケース３２同様、外ケース２３を強引にこじ開けようとした場合等にドライバー等の先端によって表面に傷がつきやすく、不正行為の痕跡が残りやすいようにしている。尚、かしめカバー部材４２に使用するアクリル樹脂にはゴム等の樹脂が添加されており、かしめカバー部材４２は、後ケース部材３２よりも若干傷がつきにくくなっており、運搬時等における傷つきや破損等を防止可能としている。
【００２２】
ベース部材４１は、前板の上下左右縁に沿って上機能部４５、側機能部４６、４６、及び下壁部４７を夫々後方へ立設してなるもので、当該上機能部４５、左右の両側機能部４６、４６、及び下壁部４７に囲まれた空間４１ａ内に内ケース２２を収容可能としている。上機能部４５には、一対のビス収納部４８、４８が凹設されており、各ビス収納部４８には、ベース部材４１とかしめカバー部材４２とを組み付けるための予備の不正防止用ビス４４が収納可能となっている。また、上機能部４５の中央及び左右両端部には、上面に開口する凹状の嵌入凹部４５ａ、４５ａ・・が設けられており、かしめカバー部材４２に設けられた嵌入突起５２ｃが嵌入可能となっている（図５（ａ）、（ｂ）に示す）。一方、各側機能部４６には、４つの支持リブにより円筒部を支持してなる２つのビス受け部４９、４９が上下方向に連設されている。各ビス受け部４９の円筒部は、固着前の不正防止用ビス４４を挿通可能な径とされており、該円筒部の前方は、前板によって被覆状態とされている。また、ビス受け部４９、４９の下方には、下側のビス受け部４９と下壁部４７とを連結するように補強部５０が設けられており、当該補強部５０の左右方向内側には、内ケース２２を組み付けた際に係止凹部３４に係止する係止片４３が一体的に形成されている。さらに、空間４１ａの上部位置には、内ケース２２を収容状態でネジ止めするためのネジ止め部５１、５１が設けられている。加えて、８０は、制御装置２０を機枠３の後面側に設置する際に使用する取付部材である。尚、ビス収納部４８内には、不正防止用ビス４４の軸部を挟持する一対の挟持リブ４８ａが設けられており、穴を空けて予備の不正防止用ビス４４を取り出すといった不正行為を一層確実に防止可能としている。また、各補強部５０の前方と前板との間には空間が形成されており、後述するかしめカバー部材４２の嵌合突起５３ｄが嵌合可能となっている。
【００２３】
一方、かしめカバー部材４２は、後板の上縁及び左右縁に沿って、前方へ突出する上機能部５２、及び側機能部５３、５３をコ字状に連設してなるもので、ベース部材４１の空間４１ａの後方を覆うように組み付け可能となっている。上機能部５２は、ベース部材４１の上機能部４５の上面を被覆する上壁５２ａと、上壁５２ａ及び後板と一体的に形成された押さえリブ５２ｂ及び嵌入突起５２ｃとからなる。押さえリブ５２ｂは、かしめカバー部材４２の組み付け時に、空間４１ａに収容された内ケース２２の鍔片３６に当接して内ケース２２の後ケース部材３２を押さえる機能を果たすとともに、かしめカバー部材４２上部の補強をも担っている。また、嵌入突起５２ｃは、かしめカバー部材４２をベース部材４１に組み付けるにあたり、嵌入凹部４５ａへ上方から嵌入して、ベース部材４１とかしめカバー部材４２とをより強固に一体化可能としている。
【００２４】
また、かしめカバー部材４２の各側機能部５３は、不正防止用ビス４４を挿通可能な六角形状の挿通孔を有するビス挿通部５３ａ、５３ａと、収容状態にある内ケース２２を押止する押止リブ５３ｂと、格子状に形成された補強リブ５３ｃとからなる。ビス挿通部５３ａは、ベース部材４１のビス受け部４９に対応して上下に２つ連設されている。各ビス挿通部５３ａは、ニッパ等により切断可能な切断リブ５４、５４・・を介して後板等と連結されており、切断リブ５４、５４・・を切断することによって、かしめカバー部材４２とビス挿通部５３ａとは別体となる。また、押止リブ５３ｂは、ビス挿通部５３ａや補強リブ５３ｃ等よりも前方へ突出しており、ベース部材４１への組み付け時に、収容状態にある内ケース２２の押止片３７に当接し、上記押さえリブ５２ｂ同様、内ケース２２の後ケース部材３２を押止する機能を果たす。さらに、補強リブ５３ｃは、後板等と一体的に形成されており、ベース部材４１への組み付け時に、空間４１ａに収容された内ケース２２の後ケース部材３２表面や固定片３５に当接して内ケース２２を押さえる機能を果たす（図５（ａ）に示す）とともに、かしめカバー部材４２側部の補強をも担っている。また、各側機能部５３の下端部は、後板よりも下方へ突出しており、組み付け時に係止片４３の後方を覆うようになっている。加えて、各側機能部５３の下端部には、ベース部材４１への組み付け時に補強部５０の前方に嵌合する嵌合突起５３ｄが設けられている。
【００２５】
以上のように構成される内ケース２２及び外ケース２３の組み立てについて、図１０及び図１１をもとに説明する。図１０は、内ケース２２及び外ケース２３のネジ止めの態様を示した説明図であって、図１１は、ベース部材４１へ内ケース２２を組み付けた状態を示した説明図である。尚、図１０において、メイン制御基板２１は省略している。
まず、内ケース２２については、前ケース部材３１を、その後方にメイン制御基板２１を介在させた状態で、前方からネジ２４、２４・・により後ケース部材３２へネジ止めして組み立てる。このとき、メイン制御基板２１は、素子設置面が後ケース部材３２により覆われた姿勢で後ケース部材３２内へ収容され、同ネジ２４、２４・・により、後ケース部材３２へネジ止めされることになる。このとき、前ケース部材３１は、後ケース部材３２の開口内へ嵌め込まれた状態となっており、強引にこじ開けようとした際にメイン制御基板２１の表面（素子設置面）が露出しにくいようになっている。
【００２６】
次に、上述の如く組み立てた内ケース２２をベース部材４１に組み付ける。当該組み付けに際しては、今回使用しない予備の不正防止用ビス４４、４４をベース部材４１のビス収納部４８へ収納した後、空間４１ａ内へ内ケース２２を嵌め込み、ネジ５５、５５により固定片３５をネジ止め部５１にネジ止めして組み付ける。このとき、内ケース２２の鍔片３６、３６がビス収納部４８の開口を覆った状態となっており、内ケース２２の下部では、係止凹部３４に係止片４３が係止した状態となっている。また、内ケース２２の前面は、ベース部材４１の内面に当接した状態となっている。
【００２７】
この後、固有のＩＤを記憶したＩＣタグを有する識別シール５６を、内ケース２２の鍔片３６後面とベース部材４１の上機能部４５の上面とに跨るように貼着する。このとき、ＩＣタグ（すなわち、ＩＤを記憶したチップ及び外部端末との間で無線通信を行うためのアンテナ部を含む）をベース部材４１の上面側に位置するように識別シール５６を貼着し、制御装置２０の上方から外部端末を近接させることで、かしめカバー部材４２越しにＩＤを読み取り可能とする。また、識別シール５６の鍔片３６側の表面には、ＩＤとは異なる別の識別番号が記載されており、目視で識別番号の確認を可能としているとともに、ＩＤと付き合わせることで偽造防止効果を高めることができるようにしている。さらに、同表面には、シールの剥離に使用するような溶液等が付着すると化学反応によって変色する反応部（残痕部）が設けられおり、識別シール５６の不正剥離を防止している。
【００２８】
上述したように、ベース部材４１に内ケース２２を組み付け、識別シール５６を貼着した後に、ベース部材４１とかしめカバー部材４２とを不正防止用ビス４４、４４を用いて一体化する。このとき、かしめカバー部材４２は、ベース部材４１の上方から下方へスライドさせ、各嵌入突起５２ｃを嵌入凹部４５ａ内へ嵌入させるとともに、嵌合突起５３ｄ、５３ｄを補強部５０の前方へ嵌合させる。そして、左右のビス挿通部５３ａ、５３ａのうち夫々下側のビス挿通部５３ａへ不正防止用ビス４４を後方（かしめカバー部材４２側）から挿入し、不正防止用ビス４４の先端をベース部材４１のビス受け部４９に係止及び食い込ませることにより、ベース部材４１とかしめカバー部材４２とが一体化され、外ケース２３が組み立てられる。尚、かしめカバー部材４２を組み付けた際、内ケース２２の後面は、かしめカバー部材４２の内面に当接した状態となっている。すなわち、内ケース２２は、前ケース部材３１と後ケース部材３２との組み付け方向での両面となる前後面を、ベース部材４１及びかしめカバー部材４２の内面に当接させた状態で、外ケース２３の内部空間内に収容されることになる。また、内ケース２２を係止する係止片４３、４３は、かしめカバー部材４２の各側機能部５３の下端部により覆われるとともに、補強部５０によって側方からの工具を用いた損傷・こじ開け等も防止されている。
【００２９】
当該組み立て状態において、メイン制御基板２１は、内ケース２２及び外ケース２３により二重に覆われた状態となっており、コネクタ部のみがコネクタ窓３３、３３・・から露出している。また、かしめカバー部材４２の押さえリブ５２ｂや押止リブ５３ｂ、５３ｂ、補強リブ５３ｃ、５３ｃ・・等が後ケース部材３２の鍔片３６、押止片３７、３７、固定片３５や表面に当接しており、かしめカバー部材４２を取り外さない限り、内ケース２２を開放したり、固定片３５をネジ止めしているネジ５５を取り外したり、ビス収納部４８から予備の不正防止用ビス４４を取り出したり、識別シール５６を剥離したりできない（すなわち、それらの不正行為を全て防止する）ようになっている。また、かしめカバー部材４２の上壁５２ａにより上機能部４５の上面も被覆されており、識別シール５６のＩＣタグを有する側の面に容易に触れることができないようになっている。
【００３０】
以上のようにして、制御装置２０は組み立てられ、取付部材８０、８０等によって機枠３の後面側に取り付けられる。また、メイン制御基板２１の検査（たとえば、ＲＯＭのチェック）等のため、制御装置２０を再び開放する際には、不正防止用ビス４４により固着状態にあるビス挿通部５３ａの周縁の切断リブ５４、５４・・をニッパ等によって切断すればよい。すると、当該ビス挿通部５３ａとかしめカバー部材４２とが別体となり、ビス挿通部５３ａをベース部材４１側へ残したまま、かしめカバー部材４２をベース部材４１から取り外すことが可能となる。そのため、上記組み立てとは逆の順序でネジ５５、５５を取り外すとともに識別シール５６を剥離して、内ケース２２をベース部材４１から取り出し、ネジ２４、２４・・を外すことでメイン制御基板２１の検査を行うことができる。その後、再び組み立てる際には、上記手順と略同様の手順で組み立て、当初ビス収納部４８へ収納していた予備の不正防止用ビス４４、４４を、当初使用しなかった上側のビス挿通部５３ａへ挿入し、上記同様、不正防止用ビス４４の先端をベース部材４１のビス受け部４９に係止及び食い込ませれば組み立て完了となる。
【００３１】
（不正防止用ビスの説明）
ここで、不正防止用ビス４４について、図１２をもとに説明する。図１２は、不正防止用ビス４４を示した斜視説明図である。
不正防止用ビス４４は、筒状に形成されたビス部材６１と、ビス部材６１へ挿入される芯部材６２とからなる。ビス部材６１は、六角形状のフランジを有する頭部６１ｃと、当該頭部６１ｃから前方へ一体的に突設された軸部とからなる。そして、軸部の先端部は、先端から径方向に沿って複数の切り込みが設けられてなる先割れ状に形成されており、各舌部６１ａの外周面には、やすり状の掛止面が設けられている。また、各舌部６１ａの内周面には、図示しないネジ溝が先端際まで形成されている（尚、ネジ溝は、先端に到達するまで形成されているわけではなく、ネジ溝と先端との間にネジ溝が設けられていない面が残されている）とともに、先割れ状部における径は、後述する芯部材６２の雄ねじ部６２ａの径よりも小さく成形されており、芯部材６２がねじ込まれることで先割れ状部の径が拡開するようになっている。さらに、各舌部６１ａの先端には係止突起６１ｂが径方向へ突設されている。一方、芯部材６２は、軸の先端部にのみ雄ねじ部６２ａが設けられたネジ部材であって、ねじ頭６２ｂは、ねじ込み方向へのみトルクをかけることが可能なワンウェイタイプに成形されている。尚、芯部材６２の雄ねじ部６２ａの山位置での径は、軸よりも大径とされているものの、谷位置での径は軸と同径とされており、後述の如く芯部材６２をねじ込む際にビス部材６１の先端が必要以上に拡開しないようになっている。
【００３２】
以上のように構成される不正防止用ビス４４の使用方法について説明する。
まず、ビス部材６１を、その係止突起６１ｂ、６１ｂ・・がビス受け部４９よりも前方まで突出するように、ビス挿通部５３ａを介して押し込む。次に、当該状態にあるビス部材６１に対して、芯部材６２を強引にねじ込み、該ねじ込む力によって雄ねじ部６２ａをビス部材６１の先端から更に前方へ突出させる。すると、先割れ状部の径が拡開し、やすり状とされた各舌部６１ａの外周面がビス受け部４９内周面に食い込むとともに、係止突起６１ｂがビス受け部４９の端縁に係止してビス部材６１が抜け止めされ、ベース部材４１とかしめカバー部材４２とが一体化されることになる。
尚、芯部材６２をねじ込む際には、六角形状の頭部６１ｃとビス挿通部５３ａの挿通孔とが係合しており、芯部材６２にトルクをかけやすくなっているとともに、トルクをかけることによるビス部材６１の回転を防止している。また、雄ねじ部６２ａは、ネジ溝が設けられていない面を通過する際にねじ山が潰れるような強度とされており、一旦図１２（ｂ）に示す状態になると、ビス部材６１内面のネジ溝に螺合しないようになっている。
【００３３】
（制御装置の効果）
上述したような制御装置２０によれば、メイン制御基板２１が、ベース部材４１とかしめカバー部材４２とを組み付けてなる外ケース２３内に収容された内ケース２２内に収容されている。したがって、メイン制御基板２１に対して不正行為を働くためには、内ケース２１及び外ケース２３といった２つのケースをこじ開けたり、穴を空けたりする必要があるため、メイン制御基板２１に対して不正行為を働くことが極めて困難であり、優れた防犯性を発揮することができる。
また、内ケース２２は、前ケース部材３１と後ケース部材３２とを前後方向でネジ止めして組み立てるのに対し、当該内ケース２２を収容する外ケース２３は、ベース部材４１に対してかしめカバー部材４２を上下方向へスライドさせて組み立てる。このように内ケース２２の組み立て方向と外ケース２３の組み立て方向とを異ならせているため、外ケース２３と内ケース２２とを同時にこじ開けることが極めて困難となっており、非常に優れた防犯性を発揮することができる。
またさらに、ベース部材４１に係止片４３を設けるとともに、内ケース２２の下部に係止凹部３４を設け、係止片４３を係止凹部３４に係止させた状態で、内ケース２２をベース部材４１にネジ止めする構成としている。したがって、内ケース２２の四隅をネジ止めする必要がなく、内ケース２２のベース部材４１への固着作業を簡易化することができる。
【００３４】
さらに、かしめカバー部材４２に押さえリブ５２ｂや押止リブ５３ｂ、補強リブ５３ｃ等を設けており、それらの各種リブによってかしめカバー部材４２そのものの強度向上を図り、穴を空ける等といった不正行為を困難にしている上、それらのリブが内ケースの２２の表面や固定片３５、鍔片３６、押止片３７、３７に当接するため、外ケース２３に穴を空けるといった不正行為や収容状態にある内ケース２２の不正開放を一層困難にしており、防犯性の格別な向上を図ることができる。また、かしめカバー部材４２の側機能部５３の下端部が組み付け状態にて係止片４３、４３を覆っており、さらに各係止片４３の側方には、補強部５０が設けられているため、かしめカバー部材４２の組み付け後、係止片４３を折る等の不正行為により係止片４３と係止凹部３４との係止を解除として、内ケース２２を不正開放するといった行為を防止することができる。
さらにまた、内ケース２２の前後面を、ベース部材４１及びかしめカバー部材４２の内面に当接させた状態で、外ケース２３の内部空間内に収容しているため、内ケース２２を完全に露出（すなわち外ケース２３を開放）させない限り、内ケース２２の開放は不可能となる。したがって、制御装置２０の不正開放を極めて確実に防止することができる。
加えて、ベース部材４１において、ビス受け部４９、４９・・を、前板から側方へ突出させることなく、すなわち前板によりビス受け部４９、４９・・の前方が閉塞されるように設けているため、固着状態にある不正防止用ビス４４に対して先端を切断する等といった不正行為を働くことが困難であり、当該箇所における防犯性についても向上することができる。
【００３５】
また、ベース部材４１に予備の不正防止用ビス４４を収納するビス収納部４８を設けているため、不正防止用ビス４４の管理等が簡易となり、使い勝手が良い。さらにまた、当該ビス収納部４８の開口は、外ケース２３内に収容される内ケース２２によって覆われるため、不正防止用ビス４４の不正な取り出しが困難であり、他の制御装置の封止に利用するといった二次利用等を防止することができる。
さらに、内ケース２２の前ケース部材３１の下縁に沿って後方へ突出する凸条部３９を設けているため、コネクタ窓３３、３３・・周縁から内ケース２２内部へ不正工具等を差し込みにくくなっており、内ケース２２における防犯性の向上をも図ることができる。
【００３６】
さらにまた、内ケース２２と外ケース２３とにわたって、詳しくは上記ビス収納部４８の開口を覆う内ケース２２の鍔片３６と外ケース２３の上機能部４５の上面とに跨るように、固有のＩＤを記憶したＩＣタグを有する識別シール５６を貼着している。したがって、不正防止用ビス４４を取り出すためには識別シール５６の剥離をも行わなければならず、不正防止用ビス４４の不正な取り出しが困難となり、防犯性の一層の向上を図ることができる。
また、識別シール５６を貼着するにあたり、ＩＣタグを有する側の面が外ケース２３の上面に位置するようにしているため、外部携帯端末を利用することで制御装置２０を開放することなくＩＤの確認が可能であって、使い勝手が良い。加えて、識別シール５６に、溶液に反応する反応部を設けているため、溶液を用いた不正剥離を認識可能、ひいては不正行為の抑制を図ることができる。
【００３７】
また、上記制御装置２０では、不正防止用ビス４４を、先割れ形状のビス部材６１と、当該ビス部材６１に挿入可能で、その先端が軸よりも大径となる芯部材６２とから構成している。そして、芯部材６２を、先端がビス部材６１よりも前方へ突出するまで押し込むことにより、ビス部材６１の先端が拡開して、その外周面がビス受け部４９内周面に食い込むとともに、係止突起６１ｂがビス受け部４９の端縁に係止してビス部材６１が抜け止めされて、ベース部材４１とかしめカバー部材４２とを一体化するように構成している。したがって、当該不正防止用ビス４４を用いて制御装置２０の外ケース２３を封止することで、ビス挿通部５３ａ等を外ケース２３から切り離さない限り、たとえ工具等を用いてもビス部材６１を除去することは困難であるため、ただのネジ止め等のみによりケースを組み立ててなる制御装置と比較すると、極めて防犯性の高い制御装置２０とすることができる。
さらに、各舌部６１ａの内周面に設けるネジ溝を先端際までしか形成していない上、雄ねじ部６２ａの強度を、ネジ溝が設けられていない面を通過する際にねじ山が潰れるような強度とされており、一旦図１２（ｂ）に示す状態になると、ビス部材６１内面のネジ溝と芯部材６２の雄ねじ部６２ａとが二度と螺合しないようになっている。したがって、更に高い不正開放防止効果を発揮することができる。
加えて、上述したような制御装置２０をパチンコ機１に設置することで、ＲＯＭ等が不正に取り替えられたりするおそれがなく、遊技者が安心して遊技可能なパチンコ機１を提供することができる。
【００３８】
（本発明の変更例）
なお、本発明の制御装置及び遊技機に係る構成は、上記実施形態に記載の態様に何ら限定されるものではなく、外ケースや内ケース、固着手段、及び遊技機の種類等に係る構成について、本発明の趣旨を逸脱しない範囲で必要に応じて適宜変更可能である。
【００３９】
たとえば、上記実施形態では、不正防止用ビスを用いた固着部を外ケースの左右に夫々２箇所ずつ設けているが、その数や設置位置等は適宜変更可能であるし、内ケースを同様の不正防止用ビスを用いて封止するように構成してもよい。
また、ビス収納部の位置（つまり、ベース部材への設置位置に限らず、かしめカバー部材にビス収納部を設けるようにしてもよい）や識別シールの貼着位置等についても上記実施形態の態様に何ら限定されることはない。
さらに、不正防止用ビスについて、上記実施形態ではビス部材にネジ溝を、芯部材の先端に雄ねじ部を夫々設けているが、そのようなねじ込み式を採用せず、ビス部材には溝等を設けず、芯部材としては先端が大径なピン部材を採用し、当該ピン部材を押し込むことでビス部材の先端が拡開する構成（押し込み式）としてもよい。また、ねじ込み式を採用するとしても、雄ねじ部が必ずしもつぶれるような構成とする必要はないし、雄ねじ部の基端側（頭部側）に、フランジ部をリング状に突設することで、雄ねじ部を突出させた際、当該フランジ部がビス部材の先端面に係止して、芯部材の引き抜きを阻止するように構成することも可能である。加えて、外ケースを一体化するための機構としては、前述したような芯部材とビス部材とを用いる機構に限らず、ワンウェイタイプのネジによる連結部や熱溶着部等、所謂「カシメ」と呼ばれる不可逆的な連結機構を採用可能である。
【００４０】
また、上記実施形態では、制御装置を内ケースと外ケースとからなる二重構造としているが、内ケースの代わりに、基板の少なくとも一方の表面を覆う内部カバーをベース部材又はカバー部材に取り付ける構成としてもよい。さらにまた、上記実施形態では、押さえリブや押止リブ、補強リブ等の各種リブが後ケース部材の各部に当接するように構成としているが、必ずしも当接する必要はなく、近接としてもよいし、押さえリブや押止リブの代わりに、柱状の押さえ部や押止部を突設することも可能である。
さらに、識別シールの残痕部を、溶液に反応ずる反応部としているが、粘着度の強弱によって一旦貼着した後に剥がすと無線通信用のアンテナが破断するように識別シールを構成し、当該構成を残痕部としても何ら問題はない。
加えて、外ケースや内ケースを製造する樹脂等についても上記実施形態に何ら限定されることはない。また、本発明に係る制御装置をパチンコ機ではなく、スロットマシーン等の他の遊技機に設置可能であることや、メイン制御基板以外の遊技に係る基板を内蔵する制御装置（たとえば、サブ統合ボックス）にも適用可能であることは言うまでもない。
【符号の説明】
【００４１】
１・・パチンコ機、２０・・制御装置、２１・・メイン制御基板、２２・・内ケース、２３・・外ケース（ケース）、３１・・前ケース部材（第２内部カバー）、３２・・後ケース部材（第１内部カバー）、３５・・固定片（固着部）、３６・・鍔片（鍔状のリブ片）、３７・・押止片（鍔状のリブ片）、４１・・ベース部材、４２・・かしめカバー部材（カバー部材）、４３・・係止片、４４・・不正防止用ビス（連結部材）、４８・・ビス収納部（予備収納部）、４９・・ビス受け部、５２ｂ・・押さえリブ（突出部）、５３ａ・・ビス挿通部、５３ｂ・・押止リブ（突出部）、５３ｃ・・補強リブ、５６・・識別シール、６１・・ビス部材、６２・・芯部材。
【図１】
0005413754.tif 000002
【図２】
0005413754.tif 000003
【図３】
0005413754.tif 000004
【図４】
0005413754.tif 000005
【図５】
0005413754.tif 000006
【図６】
0005413754.tif 000007
【図７】
0005413754.tif 000008
【図８】
0005413754.tif 000009
【図９】
0005413754.tif 000010
【図１０】
0005413754.tif 000011
【図１１】
0005413754.tif 000012
【図１２】
0005413754.tif 000013